(57)【要約】  データパケット内のデータ単位の進行中の通信が打ち切られることをシグナリングするためのシステム及び方法が提供される。進行中の通信の打ち切り決定が行われた時点で、前記進行中の通信が打ち切られることを示すためにデータ単位ヘッダ内の符号位置が利用される。第１のクラスの符号位置は、専用の、予め定義された打ち切りデータ単位フィールドヘッダである。第２のクラスの符号位置は、一組の既存の、予め定義されたデータ単位ヘッダフィールドの組み合わせであり、前記組み合わせ内の少なくとも１つのデータ単位ヘッダフィールドは、無効であるか又は合法的であるが生じそうにない値を保有する。データパケット内のデータ単位の進行中の通信の終了を示すための符号位置を通常の通信において搬送することは、送信中断を軽減し及びチャネル容量を節約する。【選択図】図２
2010532940.tif 000002
【特許請求の範囲】
【請求項１】
データパケット内のデータ単位の進行中の通信を打ち切ることを受信された無線チャネル状態情報（ＣＳＩ）、又は同意されたサービス品質（ＱｏＳ）のうちの少なくとも１つに少なくとも部分的に基づいて決定することと、
前記データ単位ヘッダ内の符号位置を利用して前記データパケット内の前記データ単位の前記進行中の通信を打ち切る表示をシグナリングすること、とを備える、方法。
【請求項２】
前記データ単位ヘッダ内の符号位置を利用して前記データパケット内の前記データ単位の進行中の通信を打ち切る表示をシグナリングすることは、
前記進行中の通信を打ち切ることを示す予め決められた値を保有する専用打ち切りデータ単位ヘッダフィールドである符号位置を生成することと、
打ち切られる前記データ単位の前記データ単位ヘッダにおいての前記生成された符号位置を搬送すること、とをさらに備える請求項１に記載の方法。
【請求項３】
前記データパケット内の前記データ単位は、本質的に異なる処理優先度を有する複数のフローにおける１つのフロー内のメディアアクセス制御（ＭＡＣ）−ｄパケットデータ単位（ＰＤＵ）のうちの１つである請求項１に記載の方法。
【請求項４】
同意されたＱｏＳは、保証されたビットレート、最低ビットレート、平均ビットレート、パケット紛失率、又は最大許容レーテンシーのうちの少なくとも１つを含む請求項１に記載の方法。
【請求項５】
前記打ち切りデータ単位ヘッダフィールドは、予め定義された値を有し、Ｌビット語であり、Ｌは正の整数である請求項１に記載の方法。
【請求項６】
前記データパケット内の前記データ単位の進行中の通信を打ち切る表示をシグナリングすることは、
前記データパケット内の前記データ単位の前記進行中の通信が打ち切られることを示すための値を保有する一組のデータ単位ヘッダフィールドの組み合わせを構築することと、
前記一組のデータ単位ヘッダフィールドの前記組み合わせを含むデータ単位ヘッダを搬送すること、とをさらに備える請求項１に記載の方法。
【請求項７】
前記一組のデータ単位ヘッダフィールドは、無線技術の仕様と一致する予め定義されたデータ単位ヘッダフィールドを含む請求項６に記載の方法。
【請求項８】
少なくとも１つのデータ単位ヘッダフィールドは、その仕様と一致しない値を保有する請求項６に記載の方法。
【請求項９】
少なくとも１つのデータ単位ヘッダフィールドは、生じる尤度が無視できる程度である指定値を保有する請求項６に記載の電子デバイス。
【請求項１０】
前記一組のデータ単位ヘッダフィールドの一組の組み合わせを保持することをさらに備える請求項８に記載の方法。
【請求項１１】
無線環境において動作する電子デバイスであって、
データパケット内のデータ単位の進行中の通信が打ち切られることを確立し、前記データパケット内の前記データ単位の前記進行中の通信が打ち切られることを示すための一組の予め定義されたデータ単位ヘッダフィールドの組み合わせを選択し、及び前記一組の予め定義されたデータ単位ヘッダフィールドの前記組み合わせを搬送するように構成されたプロセッサと、
前記プロセッサに結合されたメモリと、を備える、電子デバイス。
【請求項１２】
前記プロセッサは、前記データパケットの前記通信が打ち切られることを示すための専用打ち切りデータ単位ヘッダフィールドを生成するようにさらに構成され、前記打ち切りヘッダフィールドは、Ｌビット語であり、Ｌは正の整数である請求項１１に記載の電子デバイス。
【請求項１３】
一組の予め定義されたデータ単位ヘッダフィールドの前記組み合わせ内の少なくとも１つの予め定義されたデータ単位ヘッダフィールドは、その仕様と一致しない値を保有する請求項１１に記載の電子デバイス。
【請求項１４】
一組の予め定義されたデータ単位ヘッダフィールドの前記組み合わせ内の少なくとも１つの予め定義されたデータ単位ヘッダフィールドは、生じる尤度が無視できる程度である合法値を保有する請求項１１に記載の電子デバイス。
【請求項１５】
データパケット内のデータ単位の進行中の通信が打ち切られることを確立することは、
一組のチャネル状態を受信することと、
前記一組のチャネル状態が無線サービス品質（ＱｏＳ）構成を容易にすることを検証し、検証が不合格のときには前記データパケット内の前記データ単位が打ち切られること、とをさらに備える請求項１１に記載の電子デバイス。
【請求項１６】
前記無線ＱｏＳ構成は、保証されたビットレート、最低ビットレート、平均ビットレート、パケット紛失率、又は最大許容レーテンシーのうちの少なくとも１つを含む請求項１５に記載の電子デバイス。
【請求項１７】
前記一組の予め定義されたデータ単位ヘッダフィールドは、少なくとも２つのデータ単位ヘッダフィールドを含む請求項１２に記載の電子デバイス。
【請求項１８】
前記プロセッサは、データストリームを収集し及び前記データストリームを本質的に異なる優先度を有する一組の待ち行列内に格納するようにさらに構成される請求項１１に記載の電子デバイス。
【請求項１９】
前記データパケット内の前記データ単位は、メディアアクセス制御（ＭＡＣ）−ｄパケットデータ単位（ＰＤＵ）のうちの１つである請求項１５に記載の電子デバイス。
【請求項２０】
前記メモリは、データ単位の通信が打ち切られることを示す予め定義されたデータ単位ヘッダフィールドの一組の組み合わせを格納する請求項１１に記載の電子デバイス。
【請求項２１】
データパケット内のデータ単位の通信を打ち切ることが正当化されるかどうかを一組の受信された無線チャネル状態及びパケットセグメント化状態に少なくとも部分的に基づいて評価するための手段と、
前記データ単位ヘッダ内の符号位置を打ち切りインジケータとして選択するための手段と、
前記打ち切りインジケータを搬送するための手段と、を備える、装置。
【請求項２２】
データパケット内のデータ単位の通信を打ち切ることが正当化されるかどうかを評価するための手段は、前記一組の無線チャネル状態がサービス品質構成と適合可能であるかを検証するための手段をさらに備える請求項２１に記載の装置。
【請求項２３】
前記データ単位ヘッダ内の符号位置を打ち切りインジケータとして選択するための手段は、専用打ち切りヘッダフィールドを生成するための手段をさらに備える請求項２１に記載の装置。
【請求項２４】
前記データ単位ヘッダ内の符号位置を打ち切りインジケータとして選択するための手段は、一組のデータ単位ヘッダフィールドの組み合わせを識別するための手段をさらに備え、前記組内の前記データ単位ヘッダフィールドのうちの少なくとも１つは、不適切な値を採用する請求項２３に記載の装置。
【請求項２５】
打ち切りインジケータを選択するための手段は、一組のデータ単位ヘッダフィールドの組み合わせを識別するための手段をさらに備え、前記組内の前記データ単位ヘッダフィールドのうちの少なくとも１つは、合法的であるが生じそうにない値を採用する請求項２４に記載の装置。
【請求項２６】
前記データ単位は、メディアアクセス制御（ＭＡＣ）−ｄパケットデータ単位（ＰＤＵ）である請求項２５記載の装置。
【請求項２７】
コンピュータプログラム製品であって、
データパケット内のデータ単位の進行中の通信が打ち切られることを確立することをコンピュータに行わせるための符号と、
前記データパケット内の前記データ単位の前記進行中の通信が打ち切られることを示すための予め定義された値を有する専用打ち切りデータ単位ヘッダフィールドを生成することをコンピュータに行わせるための符号であって、前記打ち切りデータ単位ヘッダフィールドは、Ｌビット語であり、Ｌは正の整数である符号と、
前記データパケット内の前記データ単位の前記進行中の通信が打ち切られることをシグナリングするための前記打ち切りデータ単位ヘッダフィールドを搬送することをコンピュータに行わせるための符号と、をさらに備えるコンピュータによって読み取り可能な媒体を含む、コンピュータプログラム製品。
【請求項２８】
データパケット内のデータ単位の進行中の通信が打ち切られることを確立することをコンピュータに行わせるための符号は、一組のチャネル状態が予め定義されたサービス品質を維持するかどうかを評価することを前記コンピュータに行わせるための符号を備える請求項２７に記載のコンピュータプログラム製品。
【請求項２９】
前記データ単位は、メディアアクセス制御（ＭＡＣ）−ｄパケットデータ単位（ＰＤＵ）である請求項２８に記載のコンピュータプログラム製品。
【請求項３０】
前記コンピュータによって読み取り可能な媒体は、
前記データパケット内の前記データ単位の前記進行中の通信が打ち切られることを示すための一組の既存の予め定義されたデータ単位ヘッダフィールドの組み合わせを選択することをコンピュータに行わせるための符号と、
前記一組の予め定義されたデータ単位ヘッダフィールドの前記組み合わせを搬送することをコンピュータに行わせるための符号と、をさらに備える請求項２８に記載のコンピュータプログラム製品。
【請求項３１】
前記組内の前記予め定義されたデータ単位ヘッダフィールドのうちの少なくとも１つは、無効値を有する請求項３０に記載のコンピュータプログラム。
【請求項３２】
前記組内の前記予め定義されたデータ単位ヘッダフィールドのうちの少なくとも１つは、合法的であるが生じそうにない値を有する請求項３１に記載のコンピュータプログラム。
【発明の詳細な説明】
【技術分野】
【０００１】
３５  Ｕ．Ｓ．Ｃ．§１１９に基づく優先権の主張
本特許出願は、“MAC-EHS OPERATIONS OPTIMIZATION”（ＭＡＣ−ＥＨＳ動作最適化）という題名を有する米国仮特許出願一連番号６０／９４４，４６４（出願日：２００７年６月１５日）の利益を主張するものである。この出願の全体が、参照されることによって明示でここに組み入れられている、
主題の開示は、一般的には、無線通信に関するものである。主題の開示は、より具体的には、パケットの進行中の通信を終了させるための機構に関するものである。
【背景技術】
【０００２】
様々なタイプの通信コンテンツ、例えば、音声、映像、データ、等、を提供することを目的として無線通信システムが広範囲にわたって配備されている。これらのシステムは、複数の端末と１つ以上の基地局との同時通信をサポートすることができる多元接続システムであることができる。多元接続通信は、利用可能なシステム資源（例えば、帯域幅及び送信電力）を共有することに依存する。多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００３】
無線システム（例えば、多元接続システム）における端末と基地局との間の通信は、順方向リンクと逆方向リンクとを備える無線リンクにおける送信を通じて行われる。該通信リンクは、単入力単出力（ＳＩＳＯ）システム、多入力単出力（ＭＩＳＯ）システム、又は多入力多出力（ＭＩＭＯ）システムを介して確立することができる。ＭＩＭＯシステムは、データ送信のための複数（ＮＴ）の送信アンテナ及び複数（ＮＲ）の受信アンテナをそれぞれ装備する送信機と受信機とを備える。ＳＩＳＯ及びＭＩＳＯシステムは、ＭＩＭＯシステムの特定例である。ＮＴの送信アンテナ及びＮＲの受信アンテナによって形成されるＭＩＭＯチャネルは、空間チャネルとも呼ばれるＮＶの独立したチャネルに分解することができ、ここで、ＮＶ≦ｍｉｎ｛ＮＴ，ＮＲ｝である。ＮＶの独立したチャネルの各々は、１つの次元に対応する。ＭＩＭＯシステムは、複数の送信アンテナ及び受信アンテナによって生成された追加の次元性が利用される場合に向上された性能（例えば、より高いスループット、より高い容量、又はより向上された信頼性）を提供することができる。
【０００４】
数多くの利用可能な無線通信システムの特異性にかかわらず、データパケットの通信は、パケット化された通信を受信機側における再組み立て手順を損なうことなしに先取りして終了させることが欠けている多少柔軟性のない送信プロトコルを要求するセグメント化に起因してしばしば複雑である。特に、セグメント化されたパケット通信の一側面においては、特定の第１の待ち行列に関して、より高い優先度を有するパケットは、同じ又はより低い優先度を有する本質時に異なるセグメント化されたパケット内において“散在する”ことができず、該パケットの送信は、本質的に異なる優先度を有する第２の待ち行列内にマッピングすることを要求する。従って、該パケット化された通信は、受信された情報における望まれない遅延及び／又はデータ−パケット誤り率の上昇を被る可能性がある。従って、当業における効率的なパケット化された通信が必要である。  
【発明の概要】
【０００５】
以下は、開示される実施形態のうちの一部の側面についての基本的な理解を可能にすることを目的として単純化された概要を示すものである。この概要は、広範囲にわたる概説ではなく、さらに該実施形態の主要な又は極めて重要な要素を識別すること及び適用範囲を詳細に説明することのいずれも意図されていない。該概要の目的は、後述される発明を実施するための形態の準備段階として説明される実施形態の幾つかの概念を単純な形で提示することである。
【０００６】
データパケット内のデータ単位の進行中の通信が打ち切られることをシグナリングするためのシステム及び方法が提供される。進行中の通信を打ち切る決定が行われた時点で、前記進行中の通信が打ち切られることを示すためにデータ単位ヘッダ内の符号位置（ｃｏｄｅ−ｐｏｉｎｔ）が利用される。第１のクラスの符号位置は、専用の、予め定義された打ち切りデータ単位フィールドヘッダである。第２のクラスの符号位置は、一組の既存の、予め定義されたデータ単位ヘッダフィールドの組み合わせであり、前記組み合わせ内の少なくとも１つのデータ単位ヘッダフィールドは、無効であるか又は合法的であるが生じそうにない値を保有する。データパケット内のデータ単位の進行中の通信の終了を示すための符号位置を通常の通信において搬送することは、送信中断を軽減し及びチャネル容量を節約する。
【０００７】
主題の革新の一側面においては、進行中の通信を打ち切るための方法が説明され、前記方法は、データパケット内のデータ単位の進行中の通信を打ち切ることを受信された無線チャネル状態情報（ＣＳＩ）、又は同意されたサービス品質（ＱｏＳ）のうちの少なくとも１つに少なくとも部分的に基づいて決定することと、前記データ単位ヘッダにおいて符号位置を利用することによって前記データパケット内の前記データ単位の進行中の通信を打ち切る表示をシグナリングすること、とを備える。
【０００８】
他の側面においては、前記革新は、無線環境において動作する電子デバイスを開示し、前記電子デバイスは、データパケット内のデータ単位の進行中の通信が打ち切られることを確立し、前記データパケット内の前記データ単位の前記進行中の通信が打ち切られることを示すための一組の予め定義されたデータ単位ヘッダフィールドの組み合わせを選択し、及び前記一組の予め定義されたデータ単位ヘッダフィールドの前記組み合わせを搬送するように構成されたプロセッサと、前記プロセッサに結合されたメモリと、を備える。
【０００９】
さらに他の側面においては、前記革新は、データパケット内のデータ単位の通信を打ち切ることが正当化されるかどうかを一組の受信された無線チャネル状態及びパケットセグメント化状態に少なくとも部分的に基づいて評価するための手段と、前記データ単位ヘッダ内の符号位置を打ち切りインジケータとして選択するための手段と、前記打ち切りインジケータを搬送するための手段と、を備える装置、について説明する。
【００１０】
さらなる他の側面においては、ここにおいて説明される前記革新は、データパケット内のデータ単位の進行中の通信が打ち切られることを確立することをコンピュータに行わせるための符号と、前記データパケット内の前記データ単位の前記進行中の通信が打ち切られることを示すための予め定義された値を有する専用打ち切りデータ単位ヘッダフィールドを生成することをコンピュータに行わせるための符号であって、前記打ち切りパケットヘッダフィールドはＬビット語であり、Ｌは正の整数である符号と、前記データ単位の前記進行中の通信が打ち切られることをシグナリングするための前記打ち切りデータ単位ヘッダフィールドを搬送することをコンピュータに行わせるための符号と、をさらに備えるコンピュータによって読み取り可能な媒体を含むコンピュータプログラム製品を開示する。
【００１１】
上記の目的及び関連する目的を完遂させるために、１つ以上の前記実施形態は、以下において十分に説明され、請求項において特に強調される特徴を備える。以下の説明及び添付図面は、一定の例示的側面を詳細に説明し、及び前記実施形態の原理を採用することができる様々な方法のうちのほんの幾つかを示すにすぎない。図面を参照しつつ以下の発明を実施するための形態を検討することで、その他の利点及び斬新な特徴が明らかになり、開示される実施形態は、すべての該側面及びその同等の側面を含むことが意図される。
【図面の簡単な説明】
【００１２】
【図１】ここにおいて説明される様々な側面による無線多元接続通信システム例を示した図である。
【図２】主題の革新の側面によるデータパケットフロー内における進行中のパケット送信を終了させる、すなわち打ち切る、ためのインジケータを構築及び利用するシステム２００のブロック図である。
【図３】ここにおいて開示される側面による打ち切られるデータパケットの表示を含む送信されたヘッダの図である。
【図４Ａ】ここにおいて開示される側面による打ち切られるデータパケットの表示を含む送信されたヘッダの図である。
【図４Ｂ】ここにおいて開示される側面による打ち切られるデータパケットの表示を含む送信されたヘッダの図である。
【図４Ｃ】ここにおいて開示される側面による打ち切られるデータパケットの表示を含む送信されたヘッダの図である。
【図５】ここにおいて開示される側面による進行中のパケット通信の終了をシグナリングするための方法例の流れ図である。
【図６】主題の明細書において説明される側面によるパケットの進行中の送信を打ち切るかどうかを決定するための方法例の流れ図である。
【図７Ａ】主題の明細書において説明される側面による進行中のデータパケット通信の終了をシグナリングするための方法例の流れ図である。
【図７Ｂ】主題の明細書において説明される側面による進行中のデータパケット通信の終了をシグナリングするための方法例の流れ図である。
【図８】主題の説明において説明される側面によるセル／セクター通信を提供するＭＩＭＯ動作能力を有する送信機システム及び受信機システムの実施形態のブロック図である。
【図９】ここにおいて説明される側面によるデータパケットの進行中の通信の終了を可能にするシステム例のブロック図である。
【発明を実施するための形態】
【００１３】
次に、図面を参照して様々な実施形態が説明され、同一の要素については全体に渡って同一の参照数字が付される。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００１４】
本出願において用いられる“システム”、“コンポーネント”、“モジュール”、等の用語は、ハードウェア、ファームウェア、ハードウェアとソフトウェアの組み合わせ、ソフトウェア、実行中のソフトウェアのいずれであるかにかかわらず、コンピュータに関連するエンティティを意味することが意図される。例えば、コンポーネントは、プロセッサ上で実行中のプロセス、プロセッサ、オブジェクト、エクセキュータブル、実行スレッド、プログラム、及び／又はコンピュータであることができるが、これらに限定されない。一例として、計算デバイスにおいて実行中のアプリケーション及びその計算デバイスの両方がコンポーネントであることができる。プロセス及び／又は実行スレッド内には１つ以上のコンポーネントが常駐することができ、コンポーネントは、１つのコンピュータ上に局在化する及び／又は２つ以上のコンピュータ間で分散させることができる。さらに、これらのコンポーネントは、様々なデータ構造が格納されている様々なコンピュータによって読み取り可能な媒体から実行可能である。これらのコンポーネントは、ローカル及び／又は遠隔プロセスによって、例えば１つ以上のデータパケット（例えば、ローカルシステム又は分散型システム内の他のコンポーネントと、及び／又はインターネット等のネットワークを通じて信号を用いてその他のシステムと、対話中のコンポーネントからのデータ）を有する信号に従って通信することができる。
【００１５】
さらに、“又は”という表現は、排他的“又は”ではなく包含的“又は”を意味することが意図される。すなわち、その他の明記がない限り、又は文脈から明らかでない限り、“ＸはＡ又はＢを採用する”は、自然の包含的置換のうちのいずれかを意味することが意図される。すなわち、ＸがＡを採用する、ＸがＢを採用する、又はＸがＡ及びＢの両方を採用する場合は、上記の事例のうちのいずれかに基づいて“ＸはＡ又はＢを採用する”が満たされる。さらに、この出願及び添付される請求項において用いられる冠詞“ａ”又は“ａｎ”は、一般的には、その他の明記がない限り又は単数形であることが示されることが文脈から明らかでない限り、“１つ以上”を意味すると解釈されるべきである。
【００１６】
主題の明細書において開示される様々な実施形態は、基地局に関連する。基地局は、エアインタフェースを通じて、及び１つ以上のセクターを通じて、無線端末と、及びバックホール有線又は無線ネットワーク通信を通じてその他の基地局と、通信するアクセスネットワーク内のデバイスを意味することができる。基地局は、受信されたエアインタフェースフレームをＩＰパケットに切り替えることによって、無線端末とＩＰ（インターネットプロトコル）パケット交換ネットワークを含むことができるアクセスネットワークの残りの部分との間におけるルーターとして働くことができる。基地局は、エアインタフェースに関する属性の管理も調整する。基地局は、アクセスポイント（ＡＰ）、ノードＢ、ｅｖｏｌｖｅｄ  ＮｏｄｅＢ（ｅＮｏｄｅＢ）、ｅｖｏｌｖｅｄ基地局（ｅＢＳ）、アクセスネットワーク（ＡＮ）又はその他の何らかの用語で呼ばれることもある。
【００１７】
さらに、ここにおいては、様々な実施形態が無線端末と関係させて説明される。無線端末は、音声及び／又はデータの接続性をユーザー、又は加入者に提供するデバイスを意味することができる。無線端末は、ラップトップコンピュータ又はデスクトップコンピュータ等の計算デバイスに接続することができ、又はパーソナルデータアシスタント（ＰＤＡ）等の自蔵デバイスであることができる。無線端末は、システム、加入者ユニット、加入者局、移動局、移動端末、モバイル、遠隔局、アクセスポイント、遠隔端末、アクセス端末、ユーザー端末、ユーザーエージェント、ユーザーデバイス、カスタマ構内装置、ユーザー装置、無線デバイス、携帯電話、パーソナル通信システム（ＰＣＳ）電話、コードレス電話、セッション開始プロトコル（ＳＩＰ）フォン、ワイヤレスローカルループ（ＷＬＬ）局、無線接続能力を有するハンドヘルドデバイス、又は無線モデムに接続されたその他の処理デバイスであることができる。
【００１８】
今度は図を参照して説明すると、図１は、ここにおいて説明される様々な側面による無線多元接続通信システム１００を示す。一例においては、無線多元接続通信システム１００は、複数の基地局１１０と、複数の端末１２０と、を含む。さらに、１つ以上の基地局１１０は、１つ以上の端末１２０と通信することができる。限定しない一例として、基地局１１０は、アクセスポイント、ノードＢ、及び／又は他の適切なネットワークエンティティ又はコンポーネントであることができる。各基地局１１０は、特定の地理宇上の地域１０２ａ乃至ｃに関する通信カバレッジを提供する。ここにおいて及び当業において一般的に用いられる用語である“セル”は、基地局１１０及び／又はその用語が用いられる状況に依存したそのカバレッジエリア１０２ａ乃至ｃを意味することができる。
【００１９】
システム容量を向上させることを目的として、基地局１１０に対応するカバレッジエリア１２０ａ、１２０ｂ、又は１２０ｃは、複数のより小さいエリア（例えば、エリア１０４ａ、１０４ｂ、及び１０４ｃ）に区分することができる。これらのより小さいエリア１０４ａ、１０４ｂ、及び１０４ｃの各々は、各々の基地局トランシーバサブシステム（ＢＴＳ、示されていない）によって網羅することができる。ここにおいて及び当業において一般的に用いられる用語である“セクター”又は“セル”は、ＢＴＳ及び／又はその用語が用いられる状況に依存したそのカバレッジエリアを意味することができる。一例においては、セル１０２ａ、１０２ｂ、１０２ｃ内のセクター１０４ａ、１０４ｂ、１０４ｃは、基地局１１０におけるアンテナグループ（示されていない）によって生成することができ、各アンテナグループは、セル１０２ａ、１０２ｂ、又は１０２ｃの一部内の端末１２０との通信を担当する。例えば、セル１０２ａにサービスを提供する基地局１１０は、セクター１０４ａに対応する第１のアンテナグループ、セクター１０４ｂに対応する第２のアンテナグループ、及びセクター１０４ｃに対応する第３のアンテナグループを有することができる。さらに、セクターは、該アンテナグループを通じて行われるビーム形成を通じて生成することができる。さらに、アンテナグループは、１つ以上の端末１２０及び基地局間での多入力多出力（ＭＩＭＯ）通信を容易にすることができる。ここにおいて開示される様々な側面は、セクター化された及び／又はセクター化されないセルを有するシステムにおいて用いることができることが理解されるべきである。さらに、いずれかの数のセクター化された及び／又はセクター化されないセルを有するすべての適切な無線通信ネットワークは、ここにおいて添付される請求項の適用範囲内であることが意図されることが理解されるべきである。説明を単純化することを目的として、ここにおいて用いられる用語“基地局”は、セクターにサービスを提供する局及びセルにサービスを提供する局の両方を意味することができる。
【００２０】
主題の革新の一側面により、端末１２０は、システム１００全体に分散させることができ、各端末１２０は、静止型又は移動型であることができる。端末１２０は、上述されるデバイスのうちのいずれかであることができ、及びいずれかの所定の時点にあらゆる数の基地局１１０と通信すること又はいずれの基地局１１０とも通信しないことができる。
【００２１】
他の側面により、システム１００は、システムコントローラ１３０（例えば、無線ネットワークコントローラ（ＲＮＣ））を採用する集中型アーキテクチャを利用することができ、システムコントローラ１３０は、１つ以上の基地局１１０に結合すること及びその調整と制御を提供することができる。システムコントローラ１３０は、単一のネットワークエンティティ又はネットワークエンティティの集合であることができることが理解されるべきである。さらに、システム１００は、基地局１１０が（例えば端末ハンドオーバーにおいて）必要に応じて互いに通信するのを可能にするために分散型アーキテクチャを利用することができる。主題の革新の一側面においては、バックホール有線又は無線ネットワーク通信１３５は、該分散型アーキテクチャを採用する基地局間におけるポイント・ツー・ポイント通信を容易にすることができる。一例においては、システムコントローラ１３０は、典型的には複数のネットワークへのゲートウェイを通じて行われる１つ以上の接続を追加で含むことができる。これらのネットワークは、インターネット、音声及びデータサービスをサポートするその他のパケット方式ネットワーク（例えば、パケット交換コアネットワーク（ＰＳＣＮ））、及び／又はシステム１００における１つ以上の基地局１１０と通信中の端末１２０へ及び／又はから情報を提供することができる回線交換音声及びデータネットワーク（例えば、回線交換コアネットワーク）を含むことができる。他の例においては、システムコントローラ１３０は、無線資源を管理し及び端末１２０への及び／又はからの送信をスケジューリングするスケジューラを含むこと又は該スケジューラと結合することができる。さらに加えて、又は代替として、スケジューラは、個々のセル１０２、各セクター１０４、又はその組み合わせにおいて常駐することができる。
【００２２】
一例においては、システム１００は、１つ以上の多元接続方式、例えばＣＤＭＡ、ＴＤＭＡ、ＦＤＭＡ、ＯＦＤＭＡ、単一搬送波ＦＤＭＡ（ＳＣ−ＦＤＭＡ）、及び／又はその他の適切な多元接続方式を利用することができる。ＴＤＭＡは、時分割多重（ＴＤＭ）を利用し、異なる端末１２０に関する送信は、異なる時間間隔で送信することによって直交化される。ＦＤＭＡは、周波数分割多重（ＦＤＭ）を利用し、異なる端末１２０に関する送信が、異なる周波数副搬送波において送信することによって直交される。一例においては、ＴＤＭＡ及びＦＤＭＡシステムは、符号分割多重（ＣＤＭ）を用いることも可能であり、複数の端末に関する送信を、同じ時間間隔又は周波数副搬送波において送信されるにもかかわらず異なる直交符号（例えば、ウォルシュ符号、ゴールド符号、Ｋａｓａｍｉ符号、疑似雑音符号）を用いて直交させることができる。ＯＦＤＭＡは、直交周波数分割多重（ＯＦＤＭ）を利用し、ＳＣ−ＦＤＭＡは、単一搬送波周波数分割多重（ＳＣ−ＦＤＭ）を利用する。ＯＦＤＭ及びＳＣ−ＦＤＭは、システム帯域幅を複数の直交副搬送波（例えば、トーン、ビン、等）に区分することができ、これらの各々は、データとともに変調することができる。典型的には、変調シンボルは、ＯＦＤＭの場合は周波数領域において及びＳＣ−ＦＤＭの場合は時間領域において送信される。さらに加えて及び／又は代替として、システム帯域幅は、１つ以上の周波数搬送波に分割することができ、これらの各々は、１つ以上の副搬送波を含むことができる。システム１００は、多元接続方式、例えばＯＦＤＭ及びＣＤＭＡ、の組み合わせを利用することも可能である。
【００２３】
他の例においては、システム１００における基地局１１０及び端末１２０は、１つ以上のデータチャネルを用いてデータを通信すること及び１つ以上の制御チャネルを用いてシグナリングを通信することができる。システム１００によって利用されるデータチャネルは、各データチャネルがいずれの所定の時点においても単一の端末によって採用されるような形でアクティブ端末１２０に割り当てることができる。代替として、データチャネルは、複数の端末１２０に割り当てることができ、データチャネルにおいて重ね合わせるか又は直交でスケジューリングすることができる。システム資源を保存するため、システム１００によって利用される制御チャネルも、例えば符号分割多重化を用いて複数の端末１２０間で共有することができる。一例においては、周波数及び時間のみにおいて直交多重化されたデータチャネル（例えば、ＣＤＭを用いて多重化されないデータチャネル）は、チャネル状態及び受信機の不完全さに起因する直交性損失の影響を、対応する制御チャネルよりも受けにくい。
【００２４】
図２は、データパケットフロー内における進行中のパケット送信を終了させる、すなわち打ち切る、ためのインジケータを構築し及び利用するシステム２００のブロック図である。フローは、典型的には、パケット方式（例えば、インターネットプロトコル（ＩＰ）―パケット方式）のネットワークマネジメントコンポートネント（例えば、ネットワークシステムコントローラ１３０）によって確立される。ｅｖｏｌｖｅｄ  ＵＴＲＡＮ（ユニバーサル地上無線アクセスネットワーク）においては、エボルブド・パケット・システム（ＥＰＳ）は、データ生成器コンポーネント２０５を通じてデータ−パケットフローを生成することができ、データ−パケットフローは、有線又は無線ネットワーク、又はバックホール通信バックボーンを介して基地局、又はｅｖｏｌｖｅｄ  Ｎｏｄｅ  Ｂ（ｅＮｏｄｅ  Ｂ）２１０に到着することができる。データ生成器コンポーネント２０５は、例えば順方向リンク２６０を介して無線で、ｅＮｏｄｅ  Ｂ２１０を通じて端末２８０に提供されるデータを生成する本質的に異なる用途例、例えば音声、映像及び音声のストリーミング、ファイル転送、ウェブブラウジング、オンラインゲームプレイ、と関連づけることができる複数のフロー（例えば、フロー２６５１乃至２６５Ｎ）を生成することができる。端末２８０は、パケット化された又はその他の形のデータを、無線アップリンクを介してｅＮｏｄｅ  Ｂ２１０に搬送できることが理解されるべきである。
【００２５】
端末２８０への通信のためにｅＮｏｄｅ  Ｂ２１０によって受信されたデータパケットは、メモリ２４５において待ち行列２５１に入ることができ、各待ち行列には、スケジューラ２１５内の設定用コンポーネント（configuration component）２１８によって優先度２５３が割り当てられ、該優先度は、様々なネットワークによって構成されたサービス品質（ＱｏＳ）パラメータ、例えば、トラフィッククラスとトラフィック処理優先度、保証されたビットレート（ＧＢＲ）、最大ビットレート（ＭａｘＢＲ）、最低ビットレート（ＭｉｎＢＲ）、平均ビットレート（ＡｖＢＲ）、最大パケット紛失率、遅延バジェット（例えば、パケット当たりのｅＮｏｄｅ  Ｂ２１０において待ち行列状態のデータ割合）、フローの最大許容レーテンシー、等、に従って割り当てることができる。フロー、従ってそれに関連づけられたパケットには、優先度待ち行列（例えば、保証されたビットレート（ＧＢＲ）待ち行列又は非ＧＢＲ待ち行列）を識別するためのラベルを割り当てることができる。ラベルは、典型的には、（ＭＡＣ−ｅｈｓ）パケットヘッダにおいて搬送することができる。該ラベル情報は、周期的な又は非周期的なバーストに類似するフロー、例えばＶｏＩＰ（ｖｏｉｃｅ  ｏｖｅｒ  ＩＰ）、を含む実質的にすべてのデータ流２６５１乃至２６５Ｎ（Ｎは正の整数）に共通することができ、その場合は、実質的にすべてのフロー（例えば、２６５１乃至２６５Ｎ）が実質的に同じ優先度待ち行列に属することができることが理解されるべきである。主題の革新の一側面においては、データパケットは、データ層内のメディアアクセス制御（ＭＡＣ）副層内において処理されるパケットデータ単位（ＰＤＵ）であることができ、パケットは、ＭＡＣ−ｄ  ＰＤＵ又はＭＡＣ−ｃ  ＰＤＵであることができる。
【００２６】
データ−パケット流を通信することを目的として、ｅＮｏｄｅＢ  ２１０は、データ生成器コンポーネント２０５によって生成された一組のＮのデータ流（２５５１乃至２５５Ｎ）に関する通信資源を割り振るスケジューラ２１５を含み、資源は、待ち行列２５１優先度（例えば、優先度２５３Ｊ）と待ち行列２５１のサイズ（例えば、端末２６０に搬送される情報量）、チャネル品質状態（例えば、チャネル信号強度）を含むチャネル状態情報（ＣＳＩ）２９０に加えての各フローと関連づけられたラベル情報、セル／セクター負荷、利用可能な帯域幅と電力密度、基地局（例えば、ｅＮｏｄｅＢ  ２１０）及び端末（例えば、モバイル２８０）におけるアンテナ構成、等、に従って与えられる。典型的には、スケジューラ２１５は、パケットフォーマット、例えばコードレート及びコンスタレーションサイズ、割り振られた副搬送波、電力／電力密度、等を決定するためのアルゴリズム、例えば、ラウンドロビン、公平待ち行列化、最大スループット、比例的公平性、等を利用する。さらに、データパケットのサイズは典型的にはこれらのデータパケットを生成するアプリケーションに依存することができるため（例えば、ＶｏＩＰ疑似−周期的フローにおいては、ペイロードは約５０バイト以下であることができる）、スケジューラ２１５は、少なくともチャネル状態情報２９０及びＱｏＳパラメータ、例えば加入者が同意したサービス品質、に従って送信時間間隔（ＴＴＩ）、例えばＴＴＩ２７５１、内にペイロードを納めるように待ち行列内のパケットをセグメント化、すなわちフラグメント化、することができる。従来は、データパケットのセグメント化は、設定用コンポーネント２１８を介して行うことができ、典型的には、レーテンシー及びその結果生じる誤り率を増大させる可能性があり、待ち行列内のデータパケットがセグメント化されるときには、その待ち行列からのデータパケットの送信は、新しいパケットの送信を行うことができるようになる前に完了させなければならない。代替として、フラグメント化されたパケット送信に関する従来のシステムは、典型的には、待ち行列内におけるデータパケットのプリエンプション（ｐｒｅ−ｅｍｐｔｉｏｎ）がない。しかしながら、パケットの実質的な非セグメント化部分の通信は、結果的にパケット紛失が生じる可能性があるようなチャネル状態になる可能性がある。従って、セグメント化されたデータパケットの通信は、関連づけられたサービスの劣化とチャネル状態に関する無線資源の有効利用との間での妥協が生じることになる。
【００２７】
上記の妥協を容易にするため、主題の革新の一側面においては、スケジューラ２１５は、待ち行列内のより小さいデータパケットとの通信を優先してより大きいパケットの通信を打ち切ることができる。パケットは、優先度（例えば、優先度２５３１）に従って待ち行列２５１上にマッピングされるにもかかわらず、待ち行列内のフローは、本質的に異なる有効優先度を有する、例えば、銀行取引業務、テレビ会議等のレーテンシーが極めて重要な用途に関して生成されるフローは、ソフトＱｏＳサービス契約を有する加入者に関するよりもハードＱｏＳサービス契約を有する加入者に関するほうがより高い有効優先度を有することができることが注目されるべきである。主題の革新の一側面においては、進行中の通信においてパケット又はパケット内のデータ単位の送信を終了させることは、打ち切られるパケットの又はパケット内のデータ単位のパケットヘッダ内における打ち切り符号位置の導入に依存することができる。主題の革新の一側面においては、符号位置は、専用のＬビット語“打ち切りフィールド”である（Ｌは、正の整数である）。他の側面においては、打ち切り符号位置は、パケット、又はデータ単位、のヘッダフィールドの組み合わせ２４８である。設定用コンポーネント２１８は、スケジューラ２１５が打ち切られるパケット又はパケット内のデータ単位のヘッダ内に“打ち切りフィールド”を入れること又は予め構成された打ち切りパケット、又はデータ単位、のヘッダフィールドの組み合わせ２４８をメモリ２４５から選択することを容易にする。打ち切りヘッダフィールドの組み合わせ２４８は、パケット、又はパケット内のデータ単位の標準的通信に関して採用されたパケット、又はパケット内のデータ単位のヘッダフィールドから生じることが注目されるべきであり、例えば、組み合わせは、高速ダウンリンクパケットアクセス（ＨＳＰＤＡ）基準内のＭＡＣ−ｅｈｓにおける“ＳＩＤ”、“Ｎ”、及び“Ｆ”フィールドに基づくことができる。さらに、組み合わせは、設定用コンポーネント２１８を通じて動的に生成可能であり、該組み合わせは、メモリ２４５において打ち切りフィールドの組み合わせ２４８とともに格納するか又は使用のために予約することが可能である。打ち切りヘッダフィールドの組み合わせ２４８内のフィールドは、基準内において無効であるか又は低い発生確率を有する値を採用する。パケット又はデータ単位のヘッダが受信機（例えば、２８０）に搬送されるか又は送信されるときに、“打ち切りヘッダ”又は打ち切りヘッダフィールドの組み合わせのいずれかを組み込むことは、パケットが紛失しているとみなされること及び再組み立ての試みが追求されないことを受信機にシグナリングする。
【００２８】
上記において説明される側面によりパケット、又はパケット内のデータ単位、の進行中の通信を終了させることの利点は、通常の送信におけるパケット、又はデータ単位、のヘッダ（例えば、ＭＡＣ−ｅｈｓＰＤＵヘッダ）内への打ち切り符号位置の組み入れを通じて、チャネル容量を節約し及び打ち切られるパケットの通信完了と関連する遅延が原因で生じる可能性があるデータ流の中断を回避することである。パネル２７０は、データ流２６５Ｒ及び２６５Ｖに関する該利点を示したものであり、フロー２６５Ｒに関する５つのパケットが搬送され、ＴＴＩ１においてセグメント化されたパケット（パケットの先頭がセグメント化され、セグメント化表示ＳＩ＝１０）、ＴＴＩ２においてセグメント化されたパケット（後尾及び先頭がセグメント化され、ＳＩ＝１１）、及びＴＴＩ３においてセグメント化されたパケット（後尾がセグメント化され、セグメント化表示ＳＩ＝０１）のうちの１つ、及び３つのより小さいパケットがフロー２６５Ｖに関して搬送される。示されるように、フロー２６５Ｒ内のセグメント化されたパケットが打ち切られ、フロー２６５Ｖに関するより小さいパケットによってプリエンプションされる。打ち切られたパケットが例えばＵＥ２８０において受け取られたときには、そのパケットの通信終了を考慮して再組み立ては無視される。
【００２９】
上述されるように、データパケットの進行中の通信の打ち切り決定は、少なくとも部分的には、主にチャネル状態情報に基づいてスケジューリングされる資源の有効利用と確定的優先度の待ち行列内におけるパケット優先度と間における妥協に基づくことが注目されるべきである。該妥協は、特定の加入者に関する特定の用途によって生み出される効用解析、例えば特定のフォーマットのパケットを終了させることの費用・便益、を通じて、又は、特定のチャネル状態におけるデータパケット通信と関連づけられた来歴的データ（例えば、特定の用途と関連づけられて特定のチャネル状態において搬送される特定のフォーマットのパケットに関する紛失率、又は特定の電力割り振り、等における特定のフォーマットのパケットの終了に基づく達成されたビットレート（例えば、受け取られたＡＣＫ／ＮＡＣＫを介して測定されたビットレート）、又は、空間、時間、及び／又は加入者に依存する、パケット−打ち切りの特徴を有する通信のパターン、を通じて設定することができる。従って、打ち切り決定は、少なくとも部分的には合意されたＱｏＳに基づくことができ、このことは上述される妥協、及びパケットのセグメント化が無線資源の利用に影響を及ぼすことに鑑みてセグメント化状態に対して影響を及ぼす可能性があることが理解されるべきである。主題の革新の一側面においては、パケットの通信打ち切り決定に至ることができる妥協解析は、人工知能技法に依存することができ、該人工知能技法では、高度な数学アルゴリズム、例えば判断ツリー、ニューラルネットワーク、回帰解析、特徴及びパターンの抽出に関する主成分解析（ＰＣＡ）、クラスタ解析、ジェネティックアルゴリズム又はアルゴリズム（複数）、補強学習、等、が一組の利用可能な累積的統計値２４６に適用される。
【００３０】
特に、人工知能コンポーネント１５８は、データから学習し、そうして構築されたモデル、例えばＨｉｄｄｅｎ  Ｍａｒｋｏｖモデル（ＨＭＭ）及び関連するプロトタイプ依存型モデル、より一般的な確率論的グラフィックモデル、例えばＤｅｍｐｓｔｅｒ−Ｓｈａｆｅｒネットワーク及び例えばベイジアンモデルスコア又は近似、線形分類器、例えばサポートベクターマシン（ＳＶＭ）、非線形分類器、等を用いた構造探索によって構築されたベイジアンネットワーク、から推論を行うための数多くの方法、例えば、ここにおいて説明される様々な自動化された側面を実装することによる“ニューラルネットワーク”法とよばれる方法、ファジー論理法、及びデータ融合を行うその他の手法、のうちの１つを採用することができる。上記の方法は、適切なトランスポートフォーマットを抽出するために割り振られた又は許可された通信資源の解析に適用することができる。
【００３１】
システム例２００において、プロセッサ２３５は、スケジューラ２１５及び設定用コンポーネント２１８に上述される機能を与える全動作を行うように構成されることが理解されるべきである。さらに、スケジューラ２１５及び設定用コンポーネント２１８の動作、例えば、データソース、例えばデータ生成器２０５、からのデータパケット収集、及びメモリ２４５における該データの格納及び抽出、をサポートする本質的に異なる機能を実行することも可能であることが注目されるべきである。プロセッサ２３５及び設定用コンポーネント２１８を備えるスケジューラ２１５は、機能的に結合された別個のコンポーネントとして示される一方で（矢印参照）、該コンポーネントは、データを構成し、パケット流をスケジューリングし、パケットを打ち切るべきかどうかを決定し及び該決定をシグナリングする単一の機能上のコンポーネントに統合可能であり、該機能上のコンポーネントがプロセッサ２３５を通じてのすべての必要な動作及び計算を担うことが注目されるべきである。待ち行列２５１及び予約された打ち切りフィールドの組み合わせ２４８に加えて、メモリ２２５は、符号命令、オブジェクト及びモジュール、データ構造、ならびに、フロースケジューリングの最適化と関連づけられた進行中のデータパケット通信の終了に関係してプロセッサ２３５によって実行される符号命令、を格納することができる。さらに、ｅＮｏｄｅＢ２１０のその他の機能、例えば、データ生成器２０５からのデータ収集、及び順方向リンク２５０を通じてのデータパケット流２５５１乃至２５５Ｎの送信、等、をプロセッサ２３５が行うために必要な符号命令もメモリ２４５に格納することができる。
【００３２】
例示される打ち切り符号位置は、以下において専用打ち切りヘッダフィールド及び打ち切りヘッダフィールドの組み合わせと関係させてより詳細に説明される。
【００３３】
図３は、打ち切られるデータ単位を備える通信されたデータパケット（例えば、ＭＡＣ−ｅｈｓパケット）の概略図３００である。概略図３００のパケットは、ヘッダ３１０と、ヘッダ３１０に従って搬送される一組のＰ（正の整数）のデータ単位（例えば、、ＭＡＣ−ｄ  ＳＤＵ）３２０１乃至３２０Ｐと、搬送されたパケットがトランスポートフォーマットと適合可能であることを保証するパディングブロック３２０と、を含む。ＭＩＭＯ通信においては、ＭＩＭＯチャネルの階数（ランクｒａｎｋ）と同じ数のパケットを単一のＴＴＩ（例えば、２ｍｓ）において搬送することができ、ＳＩＳＯ（単入力単出力）は、ＴＴＩごとに単一のヘッダ３１０を与える。ヘッダ３１０は、受信機における順序を変更するためのプリアンブル３１０を備え、プリアンブル３１０は、待ち行列優先度、又はトラフィック処理優先度を示すフィールドを含むことができる。さらに、ヘッダ３１０は、各々のデータ単位（ＤＵ）３２０１乃至３２０Ｐに関するデータ単位ヘッダである一組のＰのヘッダフィールドホールダ３１４１乃至３１４Ｐを含み、各データ単位ヘッダは、組内の各データ単位の特徴を示す様々なデータ単位ヘッダフィールドを含む（ＤＵ３２０１、ＤＵ３２０２、．．．、ＤＵ３２０Ｐ）。例えば、該ヘッダフィールドは、ＤＵ３２０Ｉの長さを示す長さフィールド‘ＮＩ’（Ｉ＝１，．．．，Ｐ）と、ＤＵのシーケンス（例えば３２０１乃至ＤＵ３２０Ｐ）の終了（Ｆ＝１）又は継続（Ｆ＝０）を示すことができるフラグ‘Ｆ’ヘッダフィールドと、その他の基準ヘッダフィールド、例えばデータ単位（ＤＵ３２０２）内の一組の連続するブロック又はパケット（例えば、ＭＡＣ  ＰＤＵ）のサイズを示すサイズインデックス識別子（ＳＩＤ）と、を含むことができる。主題の革新の一側面においては、ヘッダフィールドホールダ（例えば、３１４２）、又はデータ単位ヘッダは、Ｌビット語３１６（Ｌは正の整数）であることができるデータ単位ヘッダフィールド（例えば、３１５２）において打ち切り符号位置、例えばＡ２、を含むことができ、Ｌ語は、データ単位、例えばＤＵ３２０２、の通信が打ち切られることを示す、すなわちシグナリングする、定義済み値（例えば、Ｌ＝２の場合は１１）を想定する。概略図３００においては、３つのデータ単位（例えば、ＭＡＣ−ｄ  ＳＤＵ、又はＭＡＣ−ｄ  ＰＤＵ）が打ち切られる。しかしながら、データパケット３００内には最大でＰの打ち切りフィールドＡＰが存在でき、ＴＴＩ内の全ＤＵが打ち切られることを示すことが可能であることが理解されるべきである。スケジューラ２１５は、打ち切られるデータ単位（例えば、ＭＡＣ−ｄ  ＰＤＵ）の数を決定し、従ってパケット３００内の打ち切りデータ単位ヘッダフィールド数を決定する。一例として、図２に関して説明されるように、パネル２７０においては、ＴＴＩ２に関して、Ｐ＝３であり、第３のデータ単位、又はパケットが打ち切られることを示す第３のフィールドホールダ内にＡ３が存在する。
【００３４】
図４Ａ乃至４Ｃは、データパケット３００の通信における進行中のデータ単位が打ち切られることを一組の２つの標準データ単位ヘッダフィールドの組み合わせを通じて示す搬送されたヘッダフィールドホールダ４１４１乃至４１４Ｐ、又はデータ単位ヘッダ、の概略図である。データパケット３００の通信におけるデータ単位が打ち切られることを示すために利用される一組の標準データ単位ヘッダフィールドは、３つ以上のデータ単位ヘッダフィールドを含むことができることが理解されるべきである。図４Ａは、通信終了をシグナリングするために２つのデータ単位ヘッダフィールド（Ф、ψ）から成る組が利用される概略図４００を示す。例えば、Ф又はψは、データ単位ヘッダフィールド‘Ｎ’、データ単位ヘッダフィールド‘ＳＩＤ’、又はフラグ‘Ｆ’であることができる。データパケット内のデータ単位（例えばＤＵ３２０２）が打ち切られることをシグナリングする、すなわち示すために、フィールドФ４１６及びψ４１８は、無効であるか又は非標準値である予め決められた値、例えばФ’２４１６２及びψ’ ２４１８２、又は通信において生じる（例えば、実際にスケジューリングされるか又はより高い層を通じて定義される）尤度が無視できる程度である値を採用する。概略図４００において、ＤＵ３２０４も、フィールドФ４１６及びψ４１８が予め決められた値Ф’２４１６２及びψ’ ２４１８２を採用することを考慮して打ち切られる。図４Ｂは、Ф＝ＳＩＤ４３６λ及びψ＝Ｆ  ４３８λ（λ＝１，．．．，Ｐ−１，Ｐ）であるシナリオ４３０を示し、ＳＩＤ＝ＮＵＬＬ  ４３６Ｐ−１（例えば、ＳＩＤがＭＡＣ仕様の３ＧＰＰリリース７．４におけるように３ビットフィールドであるときには、ＳＩＤ＝’０００’）及びＦ＝０  ４３８Ｐ−１の組み合わせである。該組み合わせは、ＳＩＤ＝ＮＵＬＬが通信中に確立されない可能性が高いため打ち切り表示を搬送する。図４Ｃは、シナリオ４６０を示し、データ単位通信打ち切りは、２つのフィールドの不適切な、又は無効な値の組み合わせを通じて示され、すなわち、Ф＝Ｎ  ４６６λ及びψ＝Ｆ  ４６８λ（λ＝１、．．．、Ｐ−１、Ｐ）である。Ｎが電気通信基準において規定される最大基準値を上回る値を採用し（例えば、Ｎ＝‘ＵＰ’）、Ｆが後続するヘッダフィールドホールダ、又はデータ単位ヘッダに不適切なフラグを付けるときには、２つのデータ単位ヘッダフィールドの不適切に定義された組み合わせと関連づけられたデータ単位（例えば、ＤＵ３２０２）は、データ単位（例えばＤＵ３２０２）の打ち切り表示を解釈する。
【００３５】
提示されて上述されるシステム例に鑑みて、開示される主題に従って実装することができるパケットの進行中の通信を終了させる方法は、図５、６、及び７Ａ及び７Ｂの流れ図を参照することでより良く理解されるであろう。説明を単純化することを目的として、これらの方法は、一連のブロックとして示されて説明される一方で、幾つかのブロックはここにおいて描かれて説明される順序とは異なる順序で及び／又はその他のブロックと同時並行して生じることができるため、請求項される主題はブロック数又はブロックの順序によって制限されないことが理解及び評価されるべきである。さらに、以下において説明される方法を実装するために例示されるすべてのブロックが要求されるわけではない。さらに、開示される方法の組み合わせは、追加の又は代替の利点を有する方法を結果的に得ることが可能である。ブロックと関連づけられた機能は、ソフトウェア、ハードウェア、その組み合わせ又はその他の適切な手段（例えば、デバイス、システム、プロセス、コンポーネント）によって実装できることが理解されるべきである。さらに、以下において及びこの明細書全体を通じて開示される方法は、該方法を様々なデバイスにトランスポート及び転送するのを容易にするための製造品に格納することが可能であることもさらに理解されるべきである。方法は、代替として、例えば状態図におけるように、一連の相互に関連する状態又はイベントとして表すことが可能であることが理解及び評価されるべきである。
【００３６】
図５は、ここにおいて説明される側面による進行中のパケット通信の終了をシグナリングするための方法例５００の流れ図である。方法例は、パケット化されたフローを通信する送信機において利用することができ、送信機は基地局であることができ、又は基地局又はピア・ツー・ピア通信における本質的に異なるモバイルにデータを搬送するモバイルであることができる。動作５１０において、データパケットの通信を打ち切ることが決定される。動作５２０において、パケットの送信を打ち切る表示がシグナリングされる。
【００３７】
図６は、主題の明細書において説明される側面によるパケット（例えばＭＡＣ−ｅｈｓパケット）の進行中の通信を打ち切るかどうかを決定するための方法例６００の流れ図である。方法例６００は、方法５００を補完又は補足することができる。動作６１０において、チャネル状態情報が受け取られる。主題の革新の一側面においては、ＣＳＩは、チャネル信号強度と、セル／セクター内及びセル／セクター間干渉と、受信機アンテナ構成と、データパケット流又は論理チャネルに関する割り振られた電力スペクトル密度と、セル／セクタースループット及び推定容量と、セル／セクター負荷と、等を含むことができる。動作６２０において、受信されたＣＳＩがサービス構成と適合可能であるかどうかが評価され、サービス構成は、サービスが提供される加入者に関するネットワークによって構成されるか又は同意されたＱｏＳパラメータ、加入者局、サービスが提供されるユーザー装置の位置（例えばセルエッジ）、等によって決定される。該評価は、少なくとも部分的には、効用解析、受信機によって行われる報告されたチャネル測定、セル負荷、セル／セクタースループット、等、又は来歴データに基づくことができる。評価動作６２０が、ＣＳＩ及び構成されたサービスが適合不能であることを示す場合は、この評価は、無線資源のより効率的な利用、すなわちより良いＱｏＳ、が可能であることを意味することができ、データパケット、又はデータパケット内のデータ単位の通信が打ち切られる。逆に、ＣＳＩとサービス構成との間において適合可能であることは、フローを動作６１０に戻す。
【００３８】
図７Ａは、主題である明細書において説明される側面による進行中のデータパケット通信の終了をシグナリングするための方法例７００の流れ図である。方法例７００は、方法例５００を補完又は補足することができる。動作７１０において、パケットヘッダフィールドが生成され、パケットヘッダフィールドは、パケットの進行中の通信の打ち切りを示す予め決められた値を保有する。主題の方法の一側面においては、パケットヘッダフィールドは、低いシグナリングオーバーヘッドを保証するためのＬＯ（１ビット）を有するＬビット語（Ｌは整数）であることができる。動作７２０において、打ち切りパケットヘッダフィールドが打ち切られるパケットのヘッダにおいて搬送される。他の側面においては、打ち切られるパケットは、ＭＡＣ−ｄ  ＰＤＵである。
【００３９】
図７Ｂは、主題である明細書において説明される側面による進行中のデータパケット通信の終了をシグナリングするための方法例７５０の流れ図である。動作７６０において、一組のヘッダフィールドの組み合わせが構築され、その組み合わせにおけるヘッダフィールドは、パケットの進行中の通信が打ち切られることを連携して示す選択された値を保有する。方法の一側面においては、ヘッダフィールドは、ＭＡＣ−ｅｈｓＰＤＵの通信において利用される一組の標準ヘッダフィールドに属する。動作７７０において、一組のヘッダフィールドの組み合わせが保持される。典型的には、組み合わせは、メモリに格納され、パケット通信の打ち切りをシグナリングするために予約される。動作７８０において、一組のヘッダフィールドの組み合わせを含むパケットヘッダが搬送される。主題の方法の他の側面においては、ヘッダフィールドの組み合わせは、オーバーヘッドを低減させるために圧縮し、組み合わせが送信中に失われる尤度を軽減するためにまとめて多重化することができる。
【００４０】
図８は、ここにおいて説明される１つ以上の側面により無線通信環境においてセル／セクター通信を提供することができるＭＩＭＯシステムにおける送信機システム８１０（例えば、ｅＮｏｄｅ  Ｂ２１０、又は基地局１１０ａ、１１０ｂ、又は１１０ｃ）及び受信機システム８５０（例えば、アクセス端末２６０）の実施形態のブロック図８００である。送信機システム８１０においては、データソース８１２から送信（ＴＸ）データプロセッサ８１４に幾つかのデータストリームに関するトラフィックデータを提供することができる。一実施形態においては、各データストリームは、各々の送信アンテナを通じて送信される。ＴＸデータプロセッサ８１４は、符号化されたデータを提供するために各データストリームに関して選択された特定の符号化方式に基づいてそのデータストリームに関するトラフィックデータをフォーマット化、符号化、及びインターリービングする。各データストリームに関する符号化されたデータは、ＯＦＤＭ技法を用いてパイロットデータと多重化することができる。パイロットデータは、典型的には、既知の方法で処理される既知のデータパターンであり、チャネル応答を推定するために受信機システムにおいて用いることができる。これで、各データストリームに関する多重化されたパイロットデータ及び符号化されたデータは、変調シンボルを提供するためにそのデータストリームに関して選択された特定の変調方式（例えば、二位相偏移変調（ＢＰＳＫ）、四位相偏移変調（ＱＰＳＫ）、多位相偏移変調（Ｍ−ＰＳＫ）、Ｍ−ａｒｙ直交振幅変調（Ｍ−ＱＡＭ））に基づいて変調される（例えば、シンボルマッピングされる）。各データストリームに関するデータレート、符号化、及び変調は、プロセッサ８３０によって実行される命令によって決定することができ、これらの命令及びデータは、メモリ８３２に格納することができる。プロセッサ８３０は、１つ以上のパケット化されたデータストリームに関するデータパケットをスケジューリングすること、データパケットの進行中の通信が打ち切られることを決定すること、進行中の通信が打ち切られることをシグナリングする符号位置を識別すること、等を容易にする、メモリ８３２に格納された命令も実行する。
【００４１】
次に、全データストリームに関する変調シンボルが、ＴＸ  ＭＩＭＯプロセッサ８２０に提供され、ＴＸ  ＭＩＭＯプロセッサ８２０は、（例えば、ＯＦＤＭに関する）変調シンボルをさらに処理することができる。次に、ＴＸ  ＭＩＭＯプロセッサ８２０は、ＮＴの変調シンボルストリームをＮＴのトランシーバ（ＴＭＴＲ／ＲＣＶＲ）８２２Ａ乃至８２２Ｔに提供する。一定の実施形態においては、ＴＸ  ＭＩＭＯプロセッサ８２０は、データストリームのシンボルに対して及びシンボルを送信中であるアンテナに対してビーム形成重み（又はプリコーディング）を適用する。各トランシーバ８２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルで送信するのに適する変調された信号を提供する。次に、トランシーバ８２２Ａ乃至８２２ＴからのＮＴの変調された信号が、ＮＴのアンテナ８２４１乃至８２４Ｔからそれぞれ送信される。受信機システム８５０において、送信された変調された信号がＮＲのアンテナ８５２１乃至８５２Ｒによって受信され、各アンテナ８５２からの受信された信号は、各々のトランシーバ（ＲＣＶＲ／ＴＭＴＲ）８５４Ａ乃至８５４Ｒに提供される。各トランシーバ８５４１乃至８５４Ｒは、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００４２】
次に、ＲＸデータプロセッサ８６０は、ＮＲのトランシーバ８５４１乃至８５４ＲからのＮＲの受信されたシンボルストリームを受け取り及び特定の受信機処理技法に基づいて処理してＮＴの“検出された”シンボルストリームを提供する。ＲＸデータプロセッサ８６０は、各検出されたシンボルストリームを復調、デインターリービング、及び復号してデータストリームに関するトラフィックデータを復元する。ＲＸデータプロセッサ８６０による処理は、送信機システム８１０におけるＴＸ  ＭＩＭＯプロセッサ８２０及びＴＸデータプロセッサ８１４によって行われる処理を補完するものである。プロセッサ８７０は、いずれのプリコーディング行列を使用すべきかを周期的に決定し、該行列は、メモリ８７２に格納することができる。プロセッサ８７０は、行列インデックス部分と階数値部分とを備えるアップリンクメッセージを生成する。メモリ８７２は、プロセッサ８７０によって実行されたときに逆方向リンクメッセージが生成されることになる命令を格納することができる。アップリンクメッセージは、通信リンク、又はチャネル、又は受信されたデータストリーム、又はその組み合わせに関する様々なタイプの情報を備えることができる。一例として、該情報は、チャネル品質インジケータと、受信機アンテナ構成と、電力割り振りと、システム情報と、等を備えることができる。次に、アップリンクメッセージは、幾つかのデータストリームに関するトラフィックデータもデータソース８３６から受け取るＴＸデータプロセッサ８３８によって処理され、変調器８８０によって変調され、トランシーバ８５４Ａ乃至８５４Ｒによってコンディショニングされ、送信機システム８１０に送信されて戻される。
【００４３】
送信機システム８１０において、受信機システム８５０からの変調された信号は、アンテナ８２４１乃至８２４Ｔによって受信され、トランシーバ８２２Ａ乃至８２２Ｔによってコンディショニングされ、復調器８４０によって復調され、ＲＸデータプロセッサ８４２によって処理され、受信機システム８５０によって送信された逆方向リンクメッセージが抽出される。プロセッサ８３０は、いずれのプリコーディング行列をビーム形成重みの決定のために用いるべきかを決定し、抽出されたメッセージを処理する。
【００４４】
単一ユーザー（ＳＵ）ＭＩＭＯ動作モードは、図８に示されるように及び上述される動作により、単一の受信機システム８５０が送信機システム８１０と通信する事例に対応する。主題の動作モードにおいては、セル間電力は後述される方法で実行できることが理解されるべきである。ＳＵ−ＭＩＭＯシステムにおいては、ＮＴの送信機８２４１乃至８２４Ｔ（ＴＸアンテナとも呼ばれる）及びＮＲの受信機８５２１乃至８５２Ｒ（ＲＸアンテナとも呼ばれる）は、無線通信に関する行列チャネル（例えば、レイリー（Ｒａｙｌｅｉｇｈ）チャネル、又はガウスチャネル）を形成する。ＳＵ−ＭＩＭＯチャネルは、一般的には、ランダム複素数から成るＮＲ×ＮＴ行列によって説明される。チャネルの階数は、ＮＲ×ＮＴチャネルの代数階数に等しい。空間−時間又は空間−周波数コーディングにおいては、階数は、チャネルを通じて送信されるデータストリーム、すなわち層の数に等しい。階数は、多くてもｍｉｎ｛ＮＴ，ＮＲ｝に等しいことが理解されるべきである。ＮＴの送信アンテナ及びＮＲの受信アンテナによって形成されるＭＩＭＯチャネルは、空間チャネルとも呼ばれるＮＶの独立したチャネルに分解することができ、ここで、ＮＶ≦ｍｉｎ｛ＮＴ，ＮＲ｝である。ＮＶの独立したチャネルの各々は、次元又は通信層に対応する。
【００４５】
一側面においては、ＯＦＤＭを用いたトーンωにおける送信／受信シンボルは、以下によってモデル化することができる。
【００４６】
ｙ（ω）＝Ｈ（ω）ｃ（ω）＋ｎ（ω）                （１）
ここで、ｙ（ω）は、受信されたデータストリームで、ＮＲ×１ベクトルであり、Ｈ（ω）は、トーンωにおけるチャネル応答ＮＲ×ＮＴ行列（例えば、時間に依存するチャネル応答行列ｈ）のフーリエ変換であり、ｃ（ω）は、ＮＴ×１出力シンボルベクトルであり、ｎ（ω）は、ＮＲ×１雑音ベクトル（例えば、加法白色ガウス雑音）である。プリコーディングは、ＮＶ×１層ベクトルをＮＴ×１プリコーディング出力ベクトルに変換することができる。ＮＶは、送信機８１０によって送信される実際のデータストリーム（層）数であり、ＮＶは、チャネル状態及び端末によって報告された階数に少なくとも部分的に基づいて送信機（例えばｅＮｏｄｅ  Ｂ２１０）の裁量でスケジューリングすることができる。ｃ（ω）は、送信機によって適用された少なくとも１つの多重化方式、及び少なくとも１つのプリコーディング（ビーム形成）方式の結果であることが理解されるべきである。さらに、ｃ（ω）は、送信機８１０が各データストリームＮＶに割り振る電力量を決定する電力利得行列によって重畳される。該電力利得行列は、アクセス端末２４０に割り当てられる資源であることができること、及びここにおいて説明されるように電力オフセットの調整を通じて管理できることが理解されるべきである。無線チャネルのＦＬ／ＲＬ相互性（ｒｅｃｉｐｒｏｃｉｔｙ）に鑑みて、ＭＩＭＯ受信機８５０からの送信も方程式（１）の方法でモデル化することができ、実質的に同じ要素を含むことが理解されるべきである。さらに、受信機８５０は、逆方向リンクでのデータ送信前にプリコーディング方式を適用することも可能である。
【００４７】
システム８００（図８）において、ＮＴ＝ＮＲ＝１のときには、システム８００は、ここにおいて説明される１つ以上の側面による無線通信環境においてセクター通信を提供することができる単入力単出力（ＳＩＳＯ）システムとなる。代替として、単入力多出力（ＳＩＭＯ）動作モードは、ＮＴ＞１及びＮＲ＝１に対応する。さらに、複数の受信機が送信機システム８１０と通信時には、多ユーザー（ＭＵ）ＭＩＭＯ動作モードが確立される。
【００４８】
次に、開示される主題事項の側面を可能にすることができるシステムが、図９と関係させて説明される。該システムは、プロセッサ又は電子機器、ソフトウェア、又はその組み合わせ（例えばファームウェア）によって実装される機能を表す機能ブロックであることができる。
【００４９】
図９は、ここにおいて説明される側面によるデータパケットの進行中の通信の終了を可能にするシステム例９００のブロック図である。システム９００は、少なくとも部分的には、モバイル（例えばアクセス端末２４０）内に常駐することができる。システム９００は、連携して動作することができる電気的コンポーネントから成る論理的グループ９１０を含む。主題の革新の一側面においては、論理グループ９１０は、データパケット内のデータ単位の通信を打ち切ることが正当化されるかどうかを一組の受信された無線チャネル状態及びパケットセグメント化状態に少なくとも部分的に基づいて評価するための電気的コンポーネント９１５と、データ単位ヘッダ内の符号位置を打ち切りインジケータとして選択するための電気的コンポーネント９２５と、打ち切りインジケータを搬送するための電気的コンポーネント９３５と、を含む。
【００５０】
システム９００は、電気的コンポーネント９１５、９２５、及び９３５と関連づけられた機能を実行するための命令、及び該機能の実行中に生成することができる測定された又は計算されたデータを保持するメモリ９４０も含むことができる。電気的コンポーネント９１５、９２５及び１３２５は、メモリ９４０の外部の電気的コンポーネントとして示されている一方で、これらの電気的コンポーネントのうちの１つ以上がメモリ９４０内に存在できることが理解されるべきである。
【００５１】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ、及びその他のシステム等、に関して用いることができる。用語“システム”及び“ネットワーク”は、しばしば互換可能な形で用いられる。ＣＤＭＡシステムは、ユニバーサル地上無線アクセス（ＵＴＲＡ）、ＣＤＭＡ２０００、等の無線技術を実装することができる。ＵＴＲＡは、広帯域−ＣＤＭＡ（Ｗ−ＣＤＭＡ）と、ＣＤＭＡのその他の変形と、を含む。さらに、ｃｄｍａ２０００は、ＩＳ−２０００、ＩＳ−９５及びＩＳ−８５６基準を網羅する。ＴＤＭＡシステムは、グローバル移動体通信システム（ＧＳＭ）等の無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡ及びＥ−ＵＴＲＡは、ユニバーサル移動体通信システム（ＵＭＴＳ）の一部である。３ＧＰＰロング・ターム・エボリューション（ＬＴＥ）は、Ｅ−ＵＴＲＡを使用し、ダウンリンクにおいてＯＦＤＭＡ及びアップリンクにおいてＳＣ−ＦＤＭＡを採用するＵＭＴＳのリリースである。ＵＴＲＡ、Ｅ−ＵＴＲＡ、ＵＭＴＳ、ＬＴＥ及びＧＳＭは、“第３世代パートナーシッププロジェクト”（３ＧＰＰ）という名称の組織から発行された文書において説明されている。さらに、ＣＤＭＡ２０００及びＵＭＢは、“第３世代パートナーシッププロジェクト２”（３ＧＰＰ２）という名称の組織から発行された文書において説明されている。さらに、該無線通信システムは、対でない免許なしスペクトル、８０２．ｘｘ無線ＬＡＮ、ＢＬＵＥＴＯＯＴＨ（登録商標）及びその他の短距離又は長距離の無線通信技法をしばしば用いるピア・ツー・ピア（例えばモバイル対モバイル）アドホックネットワークシステムをさらに含むことができる。
【００５２】
ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネルと、命令及び／又はデータを格納、内蔵、及び／又は搬送することができるその他の様々な媒体と、を含むことができる。
【００５３】
ソフトウェア内に実装する場合は、ここにおいて説明される技法は、ここにおいて説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合させることが可能である。
【００５４】
ここにおいて採用される用語“プロセッサ”は、古典的なアーキテクチャ又は量子コンピュータを意味することができる。古典的アーキテクチャは、限定することなしに、単一コアプロセッサと、ソフトウェアマルチスレッド実行能力を有する単一プロセッサと、多コアプロセッサと、ソフトウェアマルチスレッド実行能力を有する多コアプロセッサと、ハードウェアマルチスレッド技術を有する多コアプロセッサと、並列プラットフォームと、分散共有メモリを有する並列プラットフォームと、を備えることが意図される。さらに、プロセッサは、ここにおいて説明される機能を果たすように設計された、集積回路、特定用途向け集積回路（ＡＳＩＣ）、デジタル信号プロセッサ（ＤＳＰ）、フィールドプログラマブルゲートアレイ（ＦＰＧＡ）、プログラマブルロジックコントローラ（ＰＬＣ）、コンプレックスプログラマブルロジックデバイス（ＣＰＬＤ）、ディスクリートゲートロジック、トランジスタロジック、ディスクリートハードウェアコンポーネント、又はそのあらゆる組み合わせを意味することができる。量子コンピュータアーキテクチャは、ゲート又は自己形成量子ドットにおいて具現化されたキュビット、核磁気共鳴プラットフォーム、超伝導ジョセフソン接合、等に基づくことができる。プロセッサは、スペースの利用を最適化すること又はユーザー装置の性能を向上させることを目的として、ナノスケールのアーキテクチャ、例えば、限定されることなしに、分子及び量子ドットに基づくトランジスタ、スイッチ及びゲート、を利用することができる。プロセッサは、計算デバイスの組み合わせ、例えば、ＤＳＰとマイクロプロセッサの組み合わせ、複数のマイクロプロセッサとの組み合わせ、ＤＳＰコアと関連する１つ以上のマイクロプロセッサとの組み合わせ、その他のいずれかの構成として実装することも可能である。
【００５５】
さらに、主題の明細書においては、用語“メモリ”は、データストア、アルゴリズムストア、及びその他の情報ストア、例えば、予約された打ち切りヘッダフィールドの組み合わせ、データ待ち行列、ＱｏＳポリシー及び加入者に関する合意されたサービスパラメータ、を意味することができる。ここにおいて説明されるメモリコンポーネントは、揮発性メモリ又は非揮発性メモリであることができ、又は、揮発性メモリと非揮発性メモリの両方を含むことができることが理解されるであろう。一例として、ただし限定することなしに、非揮発性メモリは、読み取り専用メモリ（ＲＯＭ）、プログラマブルＲＯＭ（ＰＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。一例として、ただし限定することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の数多くの形態で利用可能である。さらに、ここにおけるシステムの開示されるメモリコンポーネント又は方法は、限定されることなしに、これらの種類及びその他のあらゆる適切な種類のメモリを備えることが意図される。
【００５６】
上述されていることは、１つ以上の実施形態の例を含む。当然のことであるが、上記の実施形態を説明することを目的としてコンポーネント又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神及び適用範囲内にあるあらゆる変更、修正及び変形を包含することが意図されている。さらに、発明を実施するための形態又は請求項の範囲において“含む”、“含んでいる”、“有する”、“有している”という表現又はその変形が用いられている限りにおいて、該表現は、“備える”という表現が請求項において移行語として採用されたときの解釈と同様の包含性を有することが意図される。
【図１】
2010532940.tif 000003
【図２】
2010532940.tif 000004
【図３】
2010532940.tif 000005
【図４Ａ】
2010532940.tif 000006
【図４Ｂ】
2010532940.tif 000007
【図４Ｃ】
2010532940.tif 000008
【図５】
2010532940.tif 000009
【図６】
2010532940.tif 000010
【図７Ａ】
2010532940.tif 000011
【図７Ｂ】
2010532940.tif 000012
【図８】
2010532940.tif 000013
【図９】
2010532940.tif 000014
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
データパケット内のデータ単位の進行中の通信を打ち切ることを受信された無線チャネル状態情報（ＣＳＩ）、又は同意されたサービス品質（ＱｏＳ）のうちの少なくとも１つに少なくとも部分的に基づいて決定することと、
前記データ単位ヘッダ内の符号位置を利用して前記データパケット内の前記データ単位の前記進行中の通信を打ち切る表示をシグナリングすること、とを備え、
前記データパケット内の前記データ単位の進行中の通信を打ち切る表示を前記シグナリングすることは、
前記データパケット内の前記データ単位の前記進行中の通信が打ち切られることを示すための値を保有する一組のデータ単位ヘッダフィールドの組み合わせを構築することと、
前記一組のデータ単位ヘッダフィールドの前記組み合わせを含むデータ単位ヘッダを搬送すること、とをさらに備える、方法。
【請求項２】
前記データ単位ヘッダ内の符号位置を利用して前記データパケット内の前記データ単位の進行中の通信を打ち切る表示をシグナリングすることは、
前記進行中の通信を打ち切ることを示す予め決められた値を保有する専用打ち切りデータ単位ヘッダフィールドである符号位置を生成することと、
打ち切られる前記データ単位の前記データ単位ヘッダにおいての前記生成された符号位置を搬送すること、とをさらに備える請求項１に記載の方法。
【請求項３】
前記データパケット内の前記データ単位は、本質的に異なる処理優先度を有する複数のフローにおける１つのフロー内のメディアアクセス制御（ＭＡＣ）−ｄパケットデータ単位（ＰＤＵ）のうちの１つである請求項１に記載の方法。
【請求項４】
同意されたＱｏＳは、保証されたビットレート、最低ビットレート、平均ビットレート、パケット紛失率、又は最大許容レーテンシーのうちの少なくとも１つを含む請求項１に記載の方法。
【請求項５】
前記打ち切りデータ単位ヘッダフィールドは、予め定義された値を有し、Ｌビット語であり、Ｌは正の整数である請求項１に記載の方法。
【請求項６】
前記一組のデータ単位ヘッダフィールドは、無線技術の仕様と一致する予め定義されたデータ単位ヘッダフィールドを含む請求項１に記載の方法。
【請求項７】
少なくとも１つのデータ単位ヘッダフィールドは、その仕様と一致しない値を保有する請求項１に記載の方法。
【請求項８】
少なくとも１つのデータ単位ヘッダフィールドは、生じる尤度が無視できる程度である指定値を保有する請求項１に記載の電子デバイス。
【請求項９】
前記一組のデータ単位ヘッダフィールドの一組の組み合わせを保持することをさらに備える請求項７に記載の方法。
【請求項１０】
無線環境において動作する電子デバイスであって、
データパケット内のデータ単位の進行中の通信が打ち切られることを確立し、前記データパケット内の前記データ単位の前記進行中の通信が打ち切られることを示すための一組の予め定義されたデータ単位ヘッダフィールドの組み合わせを選択し、及び前記一組の予め定義されたデータ単位ヘッダフィールドの前記組み合わせを搬送するように構成されたプロセッサと、
前記プロセッサに結合されたメモリと、を備える、電子デバイス。
【請求項１１】
前記プロセッサは、前記データパケットの前記通信が打ち切られることを示すための専用打ち切りデータ単位ヘッダフィールドを生成するようにさらに構成され、前記打ち切りヘッダフィールドは、Ｌビット語であり、Ｌは正の整数である請求項１０に記載の電子デバイス。
【請求項１２】
一組の予め定義されたデータ単位ヘッダフィールドの前記組み合わせ内の少なくとも１つの予め定義されたデータ単位ヘッダフィールドは、その仕様と一致しない値を保有する請求項１０に記載の電子デバイス。
【請求項１３】
一組の予め定義されたデータ単位ヘッダフィールドの前記組み合わせ内の少なくとも１つの予め定義されたデータ単位ヘッダフィールドは、生じる尤度が無視できる程度である合法値を保有する請求項１０に記載の電子デバイス。
【請求項１４】
データパケット内のデータ単位の進行中の通信が打ち切られることを確立することは、
一組のチャネル状態を受信することと、
前記一組のチャネル状態が無線サービス品質（ＱｏＳ）構成を容易にすることを検証し、検証が不合格のときには前記データパケット内の前記データ単位が打ち切られること、とをさらに備える請求項１０に記載の電子デバイス。
【請求項１５】
前記無線ＱｏＳ構成は、保証されたビットレート、最低ビットレート、平均ビットレート、パケット紛失率、又は最大許容レーテンシーのうちの少なくとも１つを含む請求項１４に記載の電子デバイス。
【請求項１６】
前記一組の予め定義されたデータ単位ヘッダフィールドは、少なくとも２つのデータ単位ヘッダフィールドを含む請求項１１に記載の電子デバイス。
【請求項１７】
前記プロセッサは、データストリームを収集し及び前記データストリームを本質的に異なる優先度を有する一組の待ち行列内に格納するようにさらに構成される請求項１０に記載の電子デバイス。
【請求項１８】
前記データパケット内の前記データ単位は、メディアアクセス制御（ＭＡＣ）−ｄパケットデータ単位（ＰＤＵ）のうちの１つである請求項１４に記載の電子デバイス。
【請求項１９】
前記メモリは、データ単位の通信が打ち切られることを示す予め定義されたデータ単位ヘッダフィールドの一組の組み合わせを格納する請求項１０に記載の電子デバイス。
【請求項２０】
データパケット内のデータ単位の通信を打ち切ることが正当化されるかどうかを一組の受信された無線チャネル状態及びパケットセグメント化状態に少なくとも部分的に基づいて評価するための手段と、
前記データ単位ヘッダ内の符号位置を打ち切りインジケータとして選択するための手段と、
前記打ち切りインジケータを搬送するための手段と、を備え、
前記データ単位ヘッダ内の符号位置を打ち切りインジケータとして選択するための前記手段は、前記データパケット内の前記データ単位の前記進行中の通信が打ち切られることを示すための値を保有する一組のデータ単位ヘッダフィールドの組み合わせを識別するための手段をさらに備える、装置。
【請求項２１】
データパケット内のデータ単位の通信を打ち切ることが正当化されるかどうかを評価するための手段は、前記一組の無線チャネル状態がサービス品質構成と適合可能であるかを検証するための手段をさらに備える請求項２０に記載の装置。
【請求項２２】
前記データ単位ヘッダ内の符号位置を打ち切りインジケータとして選択するための手段は、専用打ち切りヘッダフィールドを生成するための手段をさらに備える請求項２０に記載の装置。
【請求項２３】
前記組内の前記データ単位ヘッダフィールドのうちの少なくとも１つは、不適切な値を採用する請求項２０に記載の装置。
【請求項２４】
前記組内の前記データ単位ヘッダフィールドのうちの少なくとも１つは、合法的であるが生じそうにない値を採用する請求項２０に記載の装置。
【請求項２５】
前記データ単位は、メディアアクセス制御（ＭＡＣ）−ｄパケットデータ単位（ＰＤＵ）である請求項２４記載の装置。
【請求項２６】
コンピュータプログラム製品であって、
データパケット内のデータ単位の進行中の通信が打ち切られることを確立することをコンピュータに行わせるための符号と、
前記データパケット内の前記データ単位の前記進行中の通信が打ち切られることを示すための予め定義された値を有する専用打ち切りデータ単位ヘッダフィールドを生成することをコンピュータに行わせるための符号であって、前記打ち切りデータ単位ヘッダフィールドは、Ｌビット語であり、Ｌは正の整数である符号と、
前記データパケット内の前記データ単位の前記進行中の通信が打ち切られることをシグナリングするための前記打ち切りデータ単位ヘッダフィールドを搬送することをコンピュータに行わせるための符号と、を備え、
前記データパケット内の前記データ単位の前記進行中の通信が打ち切られることを示すための一組の既存の予め定義されたデータ単位ヘッダフィールドの組み合わせを選択することをコンピュータに行わせるための符号と、
前記一組の予め定義されたデータ単位ヘッダフィールドの前記組み合わせを搬送することをコンピュータに行わせるための符号と、をさらに備えるコンピュータによって読み取り可能な媒体、を含む、コンピュータプログラム製品。
【請求項２７】
データパケット内のデータ単位の進行中の通信が打ち切られることを確立することをコンピュータに行わせるための符号は、一組のチャネル状態が予め定義されたサービス品質を維持するかどうかを評価することを前記コンピュータに行わせるための符号を備える請求項２６に記載のコンピュータプログラム製品。
【請求項２８】
前記データ単位は、メディアアクセス制御（ＭＡＣ）−ｄパケットデータ単位（ＰＤＵ）である請求項２７に記載のコンピュータプログラム製品。
【請求項２９】
前記組内の前記予め定義されたデータ単位ヘッダフィールドのうちの少なくとも１つは、無効値を有する請求項２６に記載のコンピュータプログラム。
【請求項３０】
前記組内の前記予め定義されたデータ単位ヘッダフィールドのうちの少なくとも１つは、合法的であるが生じそうにない値を有する請求項２９に記載のコンピュータプログラム。
【国際調査報告】
2010532940.tif 000015
2010532940.tif 000016
2010532940.tif 000017